(57)【特許請求の範囲】
【請求項１】
少なくとも十字形状の４頂点に配置された各スイッチをオンオフさせるために操作されるキーと、
前記十字形状の４頂点のスイッチのオンオフに基づいて、前記キーの操作が、十字形状の４頂点のいずれかのスイッチに対する操作か、これ以外の他の操作かを検出すると共に、移動方向を検出する移動方向検出手段と、
前記移動方向検出手段により検出された前記キーの操作が、十字形状の４頂点のいずれかのスイッチに対する操作か、これ以外の他の操作かに応じて、座標位置を表示画面上の表示部品単位で移動させるカーソル移動モード及び座標位置を表示画面の画素単位で移動させるポインタ移動モードのいずれかを選択し、この選択されたモードに従って、前記移動方向検出手段により検出された移動方向へと座標位置を移動させる制御手段とを備えることを特徴とする座標入力装置。
【請求項２】
表示画面上の座標位置の移動方向を指示するために操作される上下左右４つのスイッチと、
前記４つのスイッチの操作に基づいて、１つのスイッチに対する操作か、複数のスイッチに対する同時操作かを検出すると共に、移動方向を検出する移動方向検出手段と、
前記移動方向検出手段により検出されたスイッチの操作が、１つのスイッチに対する操作か、複数のスイッチに対する同時操作かに応じて、座標位置を表示画面上の表示部品単位で移動させるカーソル移動モード及び座標位置を表示画面の画素単位で移動させるポインタ移動モードのいずれかを選択し、この選択されたモードに従って、前記移動方向検出手段により検出された移動方向へと座標位置を移動させる制御手段とを備えることを特徴とする座標入力装置。
【請求項３】
少なくとも十字形状の４頂点に配置された各スイッチをオンオフさせるために操作されるキーの制御方法であって、
前記十字形状の４頂点のスイッチのオンオフに基づいて、前記キーの操作が、十字形状の４頂点のいずれかのスイッチに対する操作か、これ以外の他の操作かを検出すると共に、移動方向を検出する移動方向検出ステップと、
前記移動方向検出ステップにより検出された前記キーの操作が、十字形状の４頂点のいずれかのスイッチに対する操作か、これ以外の他の操作かに応じて、座標位置を表示画面上の表示部品単位で移動させるカーソル移動モード及び座標位置を表示画面の画素単位で移動させるポインタ移動モードのいずれかを選択し、この選択されたモードに従って、前記移動方向検出ステップにより検出された移動方向へと座標位置を移動させる制御ステップとを備えることを特徴とするキーの制御方法。
【請求項４】
表示画面上の座標位置の移動方向を指示するために操作される上下左右４つのスイッチの制御方法であって、
前記４つのスイッチの操作に基づいて、１つのスイッチに対する操作か、複数のスイッチに対する同時操作かを検出すると共に、移動方向を検出する移動方向検出ステップと、
前記移動方向検出ステップにより検出されたスイッチの操作が、１つのスイッチに対する操作か、複数のスイッチに対する同時操作かに応じて、座標位置を表示画面上の表示部品単位で移動させるカーソル移動モード及び座標位置を表示画面の画素単位で移動させるポインタ移動モードのいずれかを選択し、この選択されたモードに従って、前記移動方向検出ステップにより検出された移動方向へと座標位置を移動させる制御ステップとを備えることを特徴とするスイッチの制御方法。
【発明の詳細な説明】
【０００１】
【発明の属する技術分野】
本発明は、表示画面上で座標位置を移動させるための座標入力装置、キーの制御方法、及びスイッチの制御方法に関する。
【０００２】
【従来の技術】
例えば、ＧＵＩ（グラフィカルユーザインターフェース）においては、表示画面上の座標位置を文字やソフトウェア部品等の表示部品単位で移動させたり、座標位置を表示画面の画素単位で移動させる。以降、表示部品単位の移動をカーソル移動モードと称し、画素単位の移動をポインタ移動モードと称する。一般的には、カーソル移動モードを操作キーの操作に応答して行い、またポインタ移動モードをマウス等のポインティングデバイスの操作に応答して行う。
【０００３】
また、特開平５−１９７４６６号公報では、切換え用のスイッチを操作することにより、特定のキーをポインタ移動モード及びカーソル移動モードのいずれかに切換えて用いている。
【０００４】
あるいは、特開平９−２０４２７４号公報では、座標入力キーの押圧力や押圧時間に基づいて、座標入力キーをポインタ移動モード及びカーソル移動モードのいずれかに切換えて用いている。
【０００５】
【発明が解決しようとする課題】
しかしながら、上記特開平５−１９７４６６号公報に記載の技術では、切換え用のスイッチを格別に搭載したり、このスイッチの操作を必要とするので、装置の大型化やコストの上昇、及び操作の複雑化等を招くという問題があった。
【０００６】
また、上記特開平９−２０４２７４号公報に記載の技術では、座標入力キーの押圧力に応じて２つのモードを切換えるので、座標入力キーの押圧力を検出するためのセンサを必要とし、コストの上昇を招いた。また、いずれか一方のモードを選択して維持するために、座標入力キーを強く押し続ける必要があった。あるいは、座標入力キーの押圧時間に応じて２つのモードを切換える場合は、いずれか一方のモードを選択して維持するために、座標入力キーの操作の度に、座標入力キーを長く押し続ける必要があった。このため、座標入力キーの操作性が悪かった。
【０００７】
そこで、本発明は、上記従来の問題点に鑑みてなされたものであり、装置の大型化やコストの上昇を招かずに済み、ポインタ移動モード及びカーソル移動モードを簡単な操作で選択して実施することが可能な座標入力装置、キーの制御方法、及びスイッチの制御方法を提供することを目的とする。
【０００８】
【課題を解決するための手段】
上記課題を解決するために、本発明の座標入力装置は、少なくとも十字形状の４頂点に配置された各スイッチをオンオフさせるために操作されるキーと、前記十字形状の４頂点のスイッチのオンオフに基づいて、前記キーの操作が、十字形状の４頂点のいずれかのスイッチに対する操作か、これ以外の他の操作かを検出すると共に、移動方向を検出する移動方向検出手段と、前記移動方向検出手段により検出された前記キーの操作が、十字形状の４頂点のいずれかのスイッチに対する操作か、これ以外の他の操作かに応じて、座標位置を表示画面上の表示部品単位で移動させるカーソル移動モード及び座標位置を表示画面の画素単位で移動させるポインタ移動モードのいずれかを選択し、この選択されたモードに従って、前記移動方向検出手段により検出された移動方向へと座標位置を移動させる制御手段とを備えている。
また、本発明の座標入力装置は、表示画面上の座標位置の移動方向を指示するために操作される上下左右４つのスイッチと、前記４つのスイッチの操作に基づいて、１つのスイッチに対する操作か、複数のスイッチに対する同時操作かを検出すると共に、移動方向を検出する移動方向検出手段と、前記移動方向検出手段により検出されたスイッチの操作が、１つのスイッチに対する操作か、複数のスイッチに対する同時操作かに応じて、座標位置を表示画面上の表示部品単位で移動させるカーソル移動モード及び座標位置を表示画面の画素単位で移動させるポインタ移動モードのいずれかを選択し、この選択されたモードに従って、前記移動方向検出手段により検出された移動方向へと座標位置を移動させる制御手段とを備えている。
更に、本発明のキーの制御方法は、少なくとも十字形状の４頂点に配置された各スイッチをオンオフさせるために操作されるキーの制御方法であって、前記十字形状の４頂点のスイッチのオンオフに基づいて、前記キーの操作が、十字形状の４頂点のいずれかのスイッチに対する操作か、これ以外の他の操作かを検出すると共に、移動方向を検出する移動方向検出ステップと、前記移動方向検出ステップにより検出された前記キーの操作が、十字形状の４頂点のいずれかのスイッチに対する操作か、これ以外の他の操作かに応じて、座標位置を表示画面上の表示部品単位で移動させるカーソル移動モード及び座標位置を表示画面の画素単位で移動させるポインタ移動モードのいずれかを選択し、この選択されたモードに従って、前記移動方向検出ステップにより検出された移動方向へと座標位置を移動させる制御ステップとを備えている。
また、本発明のスイッチの制御方法は、表示画面上の座標位置の移動方向を指示するために操作される上下左右４つのスイッチの制御方法であって、前記４つのスイッチの操作に基づいて、１つのスイッチに対する操作か、複数のスイッチに対する同時操作かを検出すると共に、移動方向を検出する移動方向検出ステップと、前記移動方向検出ステップにより検出されたスイッチの操作が、１つのスイッチに対する操作か、複数のスイッチに対する同時操作かに応じて、座標位置を表示画面上の表示部品単位で移動させるカーソル移動モード及び座標位置を表示画面の画素単位で移動させるポインタ移動モードのいずれかを選択し、この選択されたモードに従って、前記移動方向検出ステップにより検出された移動方向へと座標位置を移動させる制御ステップとを備えている。
【０００９】
この様な構成の本発明によれば、上下左右キーの操作に際し、移動方向検出手段により最初に検出された座標位置の移動方向に応じて、カーソル移動モード及びポインタ移動モードのいずれかを選択し、選択されたモードに従って、移動方向検出手段により検出された移動方向へと座標位置を移動させている。例えば、上下左右方向のいずれかが最初に検出された場合は、カーソル移動モードを選択して設定し、カーソル移動モードにより座標位置を移動させる。また、右上斜め方向、右下斜め方向、左上斜め方向、及び左下斜め方向のいずれかが最初に検出された場合は、ポインタ移動モードを選択して設定し、ポインタ移動モードにより座標位置を移動させる。このため、格別なスイッチやセンサを必要とせず、ポインタ移動モード及びカーソル移動モードを簡単な操作で選択して実施することができる。
【００１０】
また、本発明においては、制御手段は、カーソル移動モードによる座標位置の移動中に、移動方向検出手段により予め設定された方向への移動が検出されると、カーソル移動モードからポインタ移動モードへの変更を行って、ポインタ移動モードにより座標位置を移動させている。
【００１１】
この場合は、カーソル移動モードを一旦設定しても、上下左右キーを継続的に操作しつつ、予め設定された方向への座標位置の移動を指示すれば、カーソル移動モードからポインタ移動モードへの変更を行うことができる。
【００１２】
更に、本発明においては、制御手段は、検出開始時点から予め設定された時間を経過するまでの移動方向検出手段の検出出力に基づいて、最初に検出された座標位置の移動方向を設定している。
【００１３】
この場合は、検出開始時点から一定時間を経過するまでの間に、上下左右キーの操作により、任意のモードに対応する移動方向を指示すれば、該モードを設定することができる。
【００１４】
また、本発明においては、制御手段は、移動方向検出手段の検出出力に基づいて、上下左右キーが継続して操作されている継続操作時間を計時し、この継続操作時間に応じて、座標位置の移動速度を変更している。
【００１５】
例えば、上下左右キーの継続操作時間が長くなる程、座標位置の移動速度を速くして、操作性の向上を図る。逆に、ポインタ移動モード及びカーソル移動モードのいずれかを選択するための上下左右キーの操作開始時には、座標位置の移動速度を極端に遅くするか「０」に設定して、座標位置が不用意に移動してしまうことを防止する。
【００１６】
更に、本発明においては、制御手段は、モディファイキーの操作に応答して、座標位置の移動速度を変更している。
【００１７】
この様にモディファイキーの操作により座標位置の移動速度を変更すれば、座標位置の移動速度を容易に調節することができる。
【００１８】
また、本発明においては、上下左右キーは、上下左右方向に対応する４つのスイッチを備え、移動方向検出手段は、各スイッチのオンオフに基づいて、上方向、下方向、右方向、左方向、右上斜め方向、右下斜め方向、左上斜め方向、及び左下斜め方向のいずれかを検出している。あるいは、上下左右キーは、上方向、下方向、右方向、左方向、右上斜め方向、右下斜め方向、左上斜め方向、及び左下斜め方向に対応する８つのスイッチを備え、移動方向検出手段は、各スイッチのオンオフに基づいて、該各方向のいずれかを検出している。
【００１９】
この様に上下左右キーとして、上下左右方向に対応する４つのスイッチを備えているもの、及び上方向、下方向、右方向、左方向、右上斜め方向、右下斜め方向、左上斜め方向、及び左下斜め方向に対応する８つのスイッチを備えているもののいずれでも適用することができる。
【００２０】
【発明の実施の形態】
以下、本発明の実施形態を添付図面を参照して詳細に説明する。
【００２１】
図１は、本発明の座標入力装置の一実施形態を示すブロック図である。本実施形態の座標入力装置１０は、表示装置１１の画面上の座標位置の移動方向を指示するものであって、上下左右キー１、押下検出部２、移動モード判定部３、及び表示装置１１の表示制御部１２を備えている。表示制御部１２は、移動モード判定部３、カーソル移動モード座標処理部４、及びポインタ移動モード座標処理部５を含む。
【００２２】
上下左右キー１は、図２に示す様に十字型のキーパッド２１と、キーパッド２１裏の上下左右４箇所に配置された上スイッチ２２、下スイッチ２３、右スイッチ２４、及び左スイッチ２５とを備えている。キーパッド２１は、その中央を支持されており、キーパッド２１の上下左右の部位を選択的に押下すると、押下された部位が下降してスイッチに圧接し、該スイッチがオンとなる。例えば、キーパッド２１の上側部位を押下すると、上スイッチ２２がオンとなる。また、キーパッド２１の右上斜め部位、右下斜め部位、左上斜め部位、及び左下斜め部位を選択的に押下すると、押下された部位両側の２つのスイッチがオンとなる。例えば、キーパッド２１の右上斜め部位を押下すると、該部位両側の上スイッチ２２及び右スイッチ２４がオンとなる。押下検出部２は、各スイッチ２２〜２５のいずれがオンとなったかにより、上方向、下方向、右方向、左方向、右上斜め方向、右下斜め方向、左上斜め方向、及び左下斜め方向のいずれが指示されたかを検出し、指示された方向を移動モード判定部３に通知する。
【００２３】
ここで、上下左右キー１の操作に際し、最初に指示された方向が押下検出部２により検出されると、移動モード判定部３は、この最初に指示された方向に応じて、カーソル移動モード座標処理部４及びポインタ移動モード座標処理部５のいずれかを選択する。例えば、上下左右キー１の操作により上下左右方向のいずれかが最初に指示されると、移動モード判定部３は、カーソル移動モード座標処理部４を選択し、上下左右キー１の操作が一旦終了して、押下検出部２の検出出力が中断するまで、押下検出部２の検出出力をカーソル移動モード座標処理部４に与え続ける。また、上下左右キー１の操作により右上斜め方向、右下斜め方向、左上斜め方向、及び左下斜め方向のいずれかが最初に指示されると、移動モード判定部３は、ポインタ移動モード座標処理部５を選択し、上下左右キー１の操作が一旦終了して、押下検出部２の検出出力が中断するまで、押下検出部２の検出出力をポインタ移動モード座標処理部５に与え続ける。
【００２４】
カーソル移動モード座標処理部４は、移動モード判定部３により選択され、押下検出部２の検出出力を与えられると、この検出出力によって示される方向、つまり上下左右キー１の操作により指示された方向へと、座標位置を示すカーソルを表示装置１１の画面上で移動する。このとき、カーソル移動モード座標処理部４は、カーソルを表示装置１１の画面上の文字やアイコン等の表示部品単位で移動させ、このカーソルにより表示部品を指示する。ＧＵＩ等においては、各表示部品を表示装置１１の画面上に上下左右に配列して表示している。このため、上下左右キー１の操作により上下左右方向のいずれかを最初に指示して、カーソル移動モードを選択して設定した直後に、該方向へとカーソルが表示部品単位で移動したとしても、カーソルの移動操作をそのまま続行することができる。
【００２５】
また、ポインタ移動モード座標処理部５は、移動モード判定部３により選択され、押下検出部２の検出出力を与えられると、この検出出力によって示される方向へと、座標位置を示すポインタを表示装置１１の画面上で移動する。このとき、ポインタ移動モード座標処理部５は、ポインタを表示装置１１の画素単位で移動させ、このポインタにより画素を指示する。また、斜め方向だけではなく、上下左右方向へもポインタを移動させることができる。一般に、ポインタを画素単位で移動させる場合は、ポインタの移動方向を格別に規制することがない。このため、上下左右キー１の操作により斜め方向を最初に指示して、ポインタ移動モードを選択して設定した直後に、該斜め方向へとポインタが画素単位で移動したとしても、ポインタの移動操作に支障を来すことはほとんどない。
【００２６】
次に、図３に示すフローチャートに従って、座標入力装置１０による処理手順を説明する。
【００２７】
まず、移動モード判定部３は、押下検出部２の検出出力を待機しており、上下左右キー１の操作により最初に指示された方向を示す検出出力を押下検出部２から入力すると（ステップＳ１）、この方向が上下左右方向及び斜め方向のいずれであるかを判定する（ステップＳ２）。
【００２８】
そして、最初に指示された方向が上下左右方向であれば（ステップＳ２で「Ｙｅｓ」）、移動モード判定部３は、カーソル移動モード座標処理部４を選択して、押下検出部２の検出出力をカーソル移動モード座標処理部４に与え続ける（ステップＳ３）。これにより、上下左右キー１の操作により指示された方向へと、カーソルが表示装置１１の画面上で文字やアイコン等の表示部品単位で移動する。この後、上下左右キー１の操作が終了して、押下検出部２の検出出力が中断すると（ステップＳ４で「Ｙｅｓ」）、ステップＳ１に戻る。
【００２９】
また、最初に指示された方向が斜め方向であれば（ステップＳ２で「Ｎｏ」）、移動モード判定部３は、ポインタ移動モード座標処理部５を選択して、検出部２の検出出力をポインタ移動モード座標処理部５に与え続ける（ステップＳ５）。これにより、上下左右キー１の操作により指示された方向へと、ポインタが表示装置１１の画面上で画素単位で移動する。更に、上下左右キー１の操作が終了して、押下検出部２の検出出力が中断すると（ステップＳ６で「Ｙｅｓ」）、ステップＳ１に戻る。
【００３０】
この様に本実施形態では、上下左右キー１の操作により最初に指示され方向が上下左右方向であれば、カーソル移動モードを選択して、カーソルを表示装置１１の画面上で文字やアイコン等の表示部品単位で移動させ、また上下左右キー１の操作により最初に指示され方向が斜め方向であれば、ポインタ移動モードを選択して、ポインタを表示装置１１の画面上で画素単位で移動させている。従って、従来の様に格別なスイッチやセンサを設けなくとも、ポインタ移動モード及びカーソル移動モードを簡単な操作で選択して実施することができ、また装置の大型化やコストの上昇を招くこともない。
【００３１】
尚、ここでは、カーソル移動モード座標処理部４を一旦選択すると、上下左右キー１の操作が終了して、押下検出部２の検出出力が中断するまで、カーソル移動モード座標処理部４を選択し続けているが、カーソル移動モード座標処理部４の選択中に、上下左右キー１の操作により斜め方向が指示されると、これに応答してカーソル移動モード座標処理部４の代わりに、ポインタ移動モード座標処理部５を選択し、ポインタを画素単位で移動させても構わない。
【００３２】
ところで、上下左右キー１の操作により上下左右方向のいずれかを指示する場合は、各スイッチ２２〜２５のいずれか１つをオンにすれば良い。これに対して、上下左右キー１の操作により斜め方向を指示する場合は、２つのスイッチをオンにする必要があるものの、これらのスイッチが同時にオンになるとは限らない。例えば、左下斜め方向を指示するには、キーパッド２１の左下斜めの部位を押下して、下スイッチ２３及び左スイッチ２５を共にオンにする必要があるものの、図４に示す様に下スイッチ２３のオン時点と左スイッチ２５のオン時点が僅かにずれる可能性がある。このとき、一方のスイッチの最初のオンに応答して、上下左右方向が最初に指示されたと判定すると、ポインタ移動モードの選択を意図したにもかかわらず、カーソル移動モードが選択されてしまう。尚、図４においては、スイッチのチャタリングによる信号成分を取り除いている。
【００３３】
この様な選択誤りを防止するには、１つのスイッチのオン時点から予め設定された僅かの時間を経過した後に、他のスイッチがオンにされたか否かを確認して、他のスイッチがオンにされていなければ、カーソル移動モードを選択し、他のスイッチがオンにされていれば、ポインタ移動モードを選択すれば良い。
【００３４】
この選択誤りを防止するための処理を図５に示すフローチャートに従って述べる。
【００３５】
まず、移動モード判定部３は、上下左右キー１の操作により指示された１つの方向を示す検出出力を押下検出部２から入力すると（ステップＳ１１）、この方向が上下左右方向及び斜め方向のいずれであるかを判定する（ステップＳ１２）。そして、この指示された方向が上下左右方向であれば（ステップＳ１２で「Ｙｅｓ」）、移動モード判定部３は、時間の計時を開始して、この計時時間が予め設定された一定時間に達するまで（ステップＳ１３）、押下検出部２からの次の検出出力の入力を待機する。ここで、次の検出出力を入力しないまま、計時時間が一定時間に達すると（ステップＳ１３で「Ｙｅｓ」）、移動モード判定部３は、該指示された方向が上下左右方向であると決定し、カーソル移動モード座標処理部４を選択して、押下検出部２の検出出力が中断するまで、押下検出部２の検出出力をカーソル移動モード座標処理部４に与え続ける（ステップＳ１４）。また、計時時間が一定時間に達するまでに（ステップＳ１３で「Ｎｏ」）、押下検出部２からの次の検出出力の入力があると、移動モード判定部３は、該指示された方向が斜め方向であると判定し（ステップＳ１２で「Ｎｏ」）、ポインタ移動モード座標処理部５を選択して、押下検出部２の検出出力が中断するまで、検出部２の検出出力をポインタ移動モード座標処理部５に与え続ける（ステップＳ１５）。
【００３６】
この様な処理により、カーソル移動モード及びポインタ移動モードのいずれかを確実に選択して設定することができる。
【００３７】
また、ポインタ移動モードにおいては、ポインタを等速で移動させると、ポインタを長距離移動させるのに長時間を費やすことになる。しかしながら、例えばマウス等を用いたときと同様に、ポインタの長距離移動を短時間で済ませることが望ましい。そこで、上下左右キー１の継続操作時間が長くなる程、ポインタの移動速度を高くして、長距離の移動を短時間で済ませる。例えば、図６のグラフに示す様に下スイッチ２３及び左スイッチ２５を共にオンにしてからの継続操作時間が長くなる程、ポインタの移動速度を高くする。また、下スイッチ２３又は左スイッチ２５が一旦オフになると、ポインタの移動速度を低く初期設定し、ポインタの微調整を可能にする。更に、ポインタの移動速度を「０」又は極めて遅い速度に初期設定すれば、下スイッチ２３及び左スイッチ２５を共にオンにして、ポインタ移動モードを設定した直後に、ポインタが不用意にずれずに済む。
【００３８】
尚、ポインタ移動モードにおけるポインタの移動速度を設定するために、キーボードの他のキーを適用しても良い。例えば、シフトキーやコントロールキー等のモディファイキーを操作することにより、ポインタの移動速度を指示して設定する。
【００３９】
また、ここでは、上下左右キー１として、キーパッド２１裏の上下左右４箇所に配置された各スイッチ２２〜２５を有するものを例示しているが、この代わりにキーパッドの上下左右４箇所と斜め４箇所に配置された８つのスイッチを有するものを適用しても構わない。この場合は、上下左右キーの操作により斜め方向の移動を指示すると、斜め４箇所の各スイッチのいずれか１つのみがオンとなる。更に、上下左右キーの代わりに、ジョイスティック等を適用しても構わない。
【００４０】
【発明の効果】
以上説明した様に本発明によれば、上下左右キーの操作に際し、移動方向検出手段により最初に検出された座標位置の移動方向に応じて、カーソル移動モード及びポインタ移動モードのいずれかを選択し、選択されたモードに従って、移動方向検出手段により検出された移動方向へと座標位置を移動させている。このため、格別なスイッチやセンサを必要とせず、ポインタ移動モード及びカーソル移動モードを簡単な操作で選択して実施することができる。
【００４１】
また、本発明によれば、カーソル移動モードを一旦設定しても、上下左右キーを継続的に操作しつつ、予め設定された方向への座標位置の移動を指示すれば、カーソル移動モードからポインタ移動モードへの変更を行うことができる。
【００４２】
更に、本発明によれば、移動方向検出手段の検出開始時点から一定時間を経過するまでの間に、上下左右キーの操作により、任意のモードに対応する移動方向を指示すれば、該モードを設定することができる。
【００４３】
また、本発明によれば、上下左右キーの継続操作時間が長くなる程、座標位置の移動速度を速くして、操作性を向上させている。逆に、ポインタ移動モード及びカーソル移動モードのいずれかを選択するための上下左右キーの操作開始時には、座標位置の移動速度を極端に遅くするか「０」に設定して、座標位置が不用意に移動してしまうことを防止している。
【００４４】
更に、本発明によれば、モディファイキーの操作により座標位置の移動速度を変更しているので、座標位置の移動速度を容易に調節することができる。
【００４５】
また、本発明によれば、上下左右キーとして、上下左右方向に対応する４つのスイッチを備えているもの、及び上方向、下方向、右方向、左方向、右上斜め方向、右下斜め方向、左上斜め方向、及び左下斜め方向に対応する８つのスイッチを備えているもののいずれでも適用することができる。
【図面の簡単な説明】
【図１】本発明の座標入力装置の一実施形態を示すブロック図である。
【図２】図１の座標入力装置の上下左右キーを示す平面図である。
【図３】図１の座標入力装置による処理手順を示すフローチャートである。
【図４】図１の座標入力装置の上下左右キーの２つのスイッチのオン動作を示すタイミングチャートである。
【図５】図１の座標入力装置による処理手順の変形例を示すフローチャートである。
【図６】図１の座標入力装置の座標位置の移動速度を示すグラフである。
【符号の説明】
１  上下左右キー
２  押下検出部
３  移動モード判定部
４  カーソル移動モード座標処理部
５  ポインタ移動モード座標処理部
１０  座標入力装置
１１  表示装置
１２  表示制御部
【図１】
0003970564.tif 000002
【図２】
0003970564.tif 000003
【図３】
0003970564.tif 000004
【図４】
0003970564.tif 000005
【図５】
0003970564.tif 000006
【図６】
0003970564.tif 000007